(57)【要約】      （修正有）【課題】自動車が洪水により水没し、或いは車体が砂などの漂流物により傷つくことを回避でき、車体を浮かせ車体のバランスをとる効果を達成できる自動車防水カバーを提供する。【解決手段】自動車防水カバーは防水底パッド１０を備え、底パッド１０周縁には相互に通じる中空の辺棒１１を備え、辺棒１１一端には防水空気充填孔１２を備え、底パッド１０片側には防水カバー体１３を備え、カバー体１３と底パッド１０には相互に対応する防水ファスナー１４を設置し、自動車２を防水底パッド１０上に停車後空気充填孔１２より気体を辺棒１１内に導入し辺棒１１を膨張させ、カバー体１３により自動車２を覆いカバー体１３と底パッド１０のファスナー１４を閉めて合わせ、自動車２を防水カバー１３に包みこうして自動車２は外界と隔絶される。【選択図】図３
0003179545.tif 000002
【実用新案登録請求の範囲】
【請求項１】
自動車防水カバーは防水底パッドを備え、前記底パッド周縁には相互に通じる中空の辺棒を備え、前記辺棒一端には防水空気充填孔を備え、前記底パッド片側には防水カバー体を備え、
前記カバー体と前記底パッドには相互に対応する防水ファスナーを設置し、前記カバー体により自動車を包んだ後防水ファスナーにより、前記防水カバー体と前記防水底パッドとを閉めて合わせることを特徴とする自動車防水カバー。
【請求項２】
前記防水底パッドの少なくとも１個の角には、嵌合リングを設置することを特徴とする請求項１に記載の自動車防水カバー。
【請求項３】
前記嵌合リングはワイヤー体と連接することを特徴とする請求項１に記載の自動車防水カバー。
【請求項４】
前記防水底パッド頂点面の４個の端にはタイヤ定位枠を備えることを特徴とする請求項１に記載の自動車防水カバー。
【請求項５】
前記自動車防水カバーは摩擦と傷に強い材質により製造することを特徴とする請求項１に記載の自動車防水カバー。
【考案の詳細な説明】
【技術分野】
【０００１】
本考案は自動車防水カバーに関し、自動車が洪水により水没し、或いは車体が砂などの漂流物により傷つくことを回避し、車体を浮かせ車体のバランスをとる効果を達成する自動車防水カバーに係わる。
【背景技術】
【０００２】
地球温暖化が引き起こしている世界的な異常気象は、既に紛れもない事実である。異常気象の影響により梅雨の季節或いは台風の季節がもたらす豪雨は人々を恐怖に陥れている。
低地に駐車している車は洪水に襲われれば、水に浸かり損壊し砂などの漂流物にこすられ車体に傷がつき、自動車オーナーの金銭的損失は非常に大きくなってしまう。
本考案は、従来の自動車の上記した欠点に鑑みてなされたものである。
【考案の概要】
【考案が解決しようとする課題】
【０００３】
本考案が解決しようとする課題は自動車が洪水により水没し、或いは車体が砂などの漂流物により傷つくことを回避でき、車体を浮かせ車体のバランスをとる効果を達成できる自動車防水カバーを提供することである。
【課題を解決するための手段】
【０００４】
上記課題を解決するため、本考案は下記の自動車防水カバーを提供する。
自動車防水カバーは防水底パッドを備え、該底パッド周縁には相互に通じる中空の辺棒を備え、該辺棒一端には防水空気充填孔を備え、該底パッド片側には防水カバー体を備え、該カバー体と該底パッドには相互に対応する防水ファスナーを設置し、自動車を該底パッド上に停車後該空気充填孔より気体を該辺棒内に導入し、該辺棒を膨張させ該カバー体により自動車を覆い、
該カバー体と該底パッドのファスナーを閉めて合わせ自動車を該防水カバーに包み、こうして自動車は外界と隔絶され自動車が水に浸かり、或いは砂などの漂流物により車体が傷つくことを回避でき、
車体を浮かせバランスをとる効果を達成し、該防水底パッドの少なくとも１個の角には嵌合リングを設置し該嵌合リングはワイヤー体と連接し、該防水底パッド頂点面の４個の端にはタイヤ定位枠を備え、
該自動車防水カバーは摩擦と傷に強い材質により製造する。
【考案の効果】
【０００５】
本考案の自動車防水カバーは自動車が洪水により水没し、或いは車体が砂などの漂流物により傷つくことを回避でき、車体を浮かせ車体のバランスをとる効果を達成することができる。
【図面の簡単な説明】
【０００６】
【図１】本考案実施例の立体図である。
【図２】本考案実施例使用の様子を示す立体図である。
【図３】本考案実施例使用の様子を示す側視図である。
【図４】本考案実施例使用の様子を示す模式図(一)である。
【図５】本考案実施例使用の様子を示す模式図(二)である。
【図６】本考案実施例使用の様子を示す模式図(三)である。
【図７】本考案実施例使用の様子を示す模式図(四)である。
【図８】本考案実施例使用の様子を示す模式図(五)である。
【考案を実施するための形態】
【０００７】
以下に図面を参照しながら本考案を実施するための最良の形態について詳細に説明する。
【実施例】
【０００８】
図１〜図３に示すように、自動車防水カバー１は摩擦と傷に強い材質により製造し防水底パッド１０を備える。防水底パッド１０周縁には相互に通じる中空の辺棒１１を備える。
辺棒１１一端には防水空気充填孔１２を備える。防水底パッド１０片側には防水カバー体１３を備える。カバー体１３と防水底パッド１０には相互に対応する防水ファスナー１４を設置する。
防水底パッド１０の４個の角には嵌合リング１５をそれぞれ設置する。防水底パッド１０頂点面の４個の端にはタイヤ定位枠１６を備える。
【０００９】
図３〜図５に示すように、使用時には自動車２を自動車防水カバー１の底パッド１０頂点面に駐車する。これにより、自動車２の４個のタイヤ２０はタイヤ定位枠１６上に停止し、自動車防水カバー１の空気充填孔１２を開き空気の充填を開始する(自動車２の排気、或いは他の空気充填装置を用いて充填する)。
適度に空気が充填されると防水底パッド１０の辺棒１１は膨張する。続いてワイヤー体１７を嵌合リング１５に通しワイヤー体１７を電信柱、フェンス、木の幹などの固定物１８上に縛り付ける。
これにより、防水底パッド１０が洪水３に従い漂流することを避けられる。
【００１０】
図６〜図８に示すように、もし使用者が洪水３の規模が大きいのではとの懸念がある場合、自動車２を防水底パッド１０頂点面に駐車し空気の充填を完成した後、自動車防水カバー１のカバー体１３により、自動車２全体を覆うことができる。さらに、カバー体１３と防水底パッド１０のファスナー１４を閉めて合わせ自動車２を完全に覆って包むことができる。
これにより、自動車２は外界と隔絶され洪水３に水没することを回避でき、車体を浮かせてバランスをとる効果を達成することができる。
【００１１】
すなわち、自動車２を防水底パッド１０頂点面に駐車し、自動車２の４個のタイヤ２０をタイヤ定位枠１６上に停止し、空気充填孔１２を開いて空気の充填を開始し、適度に空気が充填後には辺棒１１は膨張し、さらにワイヤー体１７を嵌合リング１５に通し、ワイヤー体１７を固定物１８上に縛り付け、防水底パッド１０が洪水に従い漂流することを回避できる。
さらに使用者が洪水３の規模が大きいのではとの懸念がある場合、自動車２を防水底パッド１０頂点面に駐車し空気の充填を完成した後カバー体１３により、自動車２全体を覆いファスナー１４を閉めて合わせ、自動車２を完全に覆って包み、こうして自動車２は外界と隔絶され洪水３に水没し、砂などの漂流物により車体が傷つくことを回避でき、車体を浮かせてバランスをとる効果を達成することができる。
【００１２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１３】
本考案は実用新案登録の要件である新規性を備え、従来の同類製品に比べ十分な進歩を有し、実用性が高く社会のニーズに合致しており、産業上の利用価値は非常に大きい。
【符号の説明】
【００１４】
１    自動車防水カバー
１０  防水底パッド
１１  辺棒
１２  防水空気充填孔
１３  防水カバー体
１４  防水ファスナー
１５  嵌合リング
１６  タイヤ定位枠
１７  ワイヤー体
１８  固定物
２    自動車
２０  タイヤ
３    洪水
【図１】
0003179545.tif 000003
【図２】
0003179545.tif 000004
【図３】
0003179545.tif 000005
【図４】
0003179545.tif 000006
【図５】
0003179545.tif 000007
【図６】
0003179545.tif 000008
【図７】
0003179545.tif 000009
【図８】
0003179545.tif 000010
【手続補正書】
【提出日】平成24年9月3日(2012.9.3)
【手続補正１】
【補正対象書類名】実用新案登録請求の範囲
【補正対象項目名】全文
【補正方法】変更
【補正の内容】
【実用新案登録請求の範囲】
【請求項１】
自動車防水カバーは防水底パッドを備え、前記底パッド周縁には相互に通じる中空の辺棒を備え、前記辺棒一端には防水空気充填孔を備え、前記底パッド片側には防水カバー体を備え、
前記カバー体と前記底パッドには相互に対応する防水ファスナーを設置し、前記カバー体により自動車を包んだ後防水ファスナーにより、前記防水カバー体と前記防水底パッドとを閉めて合わせることを特徴とする自動車防水カバー。
【請求項２】
前記防水底パッドの少なくとも１個の角には、嵌合リングを設置することを特徴とする請求項１に記載の自動車防水カバー。
【請求項３】
前記嵌合リングはワイヤー体と連接することを特徴とする請求項２に記載の自動車防水カバー。
【請求項４】
前記防水底パッド頂点面の４個の端にはタイヤ定位枠を備えることを特徴とする請求項１に記載の自動車防水カバー。
【請求項５】
前記自動車防水カバーは摩擦と傷に強い材質により製造することを特徴とする請求項１に記載の自動車防水カバー。